(57)【要約】      （修正有）【課題】双方向開閉ドアを提供する。【解決手段】双方向開閉ドアは、２つのドア枠と１つのドア板とが組み合わされる構造により、実質的には、１つのドア枠及び２つのドア板を有する特殊なドアセット構造が形成される。これにより、ドアセットを双方向に開扉することができる。即ち、該双方向開閉ドアは、２つのドア枠２，３と１つのドア板５との間が、異なる方向に開閉するヒンジ４等によって結合されることにより、ドア板の中にドア板が含まれる構造が形成され、小ドアが含まれる大ドアが形成される。これにより、双方向開閉ドアは、内側（或いは左側）に開扉する小ドアと、外側（或いは右側）に開扉する大ドアと、を有するため、任意の方向にドアセットを押し開けて避難したり、閉扉して延焼防止を行ったりすることができる。【選択図】図９
0003181810.tif 000002
【実用新案登録請求の範囲】
【請求項１】
大枠、中枠、第１のヒンジ、ドア板及び第２のヒンジを備える双方向開閉ドアであって、
前記大枠の内側には、大枠内縁が形成され、
前記中枠の内側には、中枠内縁が形成され、
前記第１のヒンジの一方の側部は、前記大枠に接続され、他方の側部は、前記中枠に接続され、前記第１のヒンジは、第１の方向のみに回動するように装着され、これにより、前記大枠内縁に対し、前記中枠を前記第１の方向に往復回動させ、開閉させることができ、  
前記ドア板は、ドア板外縁を有し、前記ドア板外縁は、前記中枠内縁より小さく、
前記第２のヒンジの一方の側部は、前記中枠に接続され、他方の側部は、前記ドア板に接続され、前記第２のヒンジは、第２の方向のみに回動するように装着され、これにより、前記中枠内縁に対し、前記ドア板を前記第２の方向に往復回動させ、開閉させることができることを特徴とする双方向開閉ドア。
【請求項２】
前記ドア板は、前記第２のヒンジによる前記第１の方向への逆回転防止作用を受け、前記中枠に連結されると共に前記中枠を駆動することにより、前記第１の方向に開扉する大ドアを形成することを特徴とする請求項１に記載の双方向開閉ドア。
【請求項３】
前記ドア板は、押圧して前記中枠から離れさせることにより、前記第１の方向と反対の前記第２の方向に開扉する小ドアを形成することを特徴とする請求項１又は２に記載の双方向開閉ドア。
【請求項４】
前記中枠は、ストッパ板をさらに有し、前記ストッパ板は、前記内枠内縁の一部に結合され、前記中枠内縁を被覆し、前記ドア板が前記ストッパ板に当接されることにより、前記ドア板が前記第１の方向に前記中枠を駆動して開ける際の安定性が高められることを特徴とする請求項１に記載の双方向開閉ドア。
【請求項５】
大枠、中枠、第１のヒンジ、ドア、第２のヒンジ及び双方向ドアクローザを備える双方向開閉ドアであって、
前記大枠の内側には、大枠内縁が形成され、前記大枠は、前記大枠内縁の上側に位置する第１の横柱を有し、
前記中枠の内側には、中枠内縁が形成され、前記中枠は、前記中枠内縁の上側に位置する第２の横柱を有し、
前記第１のヒンジの一方の側部は、前記大枠に接続され、他方の側部は、前記中枠に接続され、前記第１のヒンジは、第１の方向のみに回動するように装着され、これにより、前記大枠内縁に対し、前記中枠を前記第１の方向に往復回動させ、開閉させることができ、
前記第２のヒンジの一方の側部は、前記中枠に接続され、他方の側部は、前記ドア板に接続され、前記第２のヒンジは、第２の方向のみに回動するように装着され、これにより、前記中枠内縁に対し、前記ドア板を前記第２の方向に往復回動させ、開閉させることができ、
前記双方向ドアクローザは、本体、第１のスライドアーム及び第２のスライドアームを有し、
前記本体は、前記第２の横柱に結合され、
前記第１のスライドアームは、前記本体の一方の側部に第１の方向に回動可能に結合される第１の前端と、前記第１の横柱に移動可能に結合される第１の後端と、を有し、
前記第２のスライドアームは、前記本体の他方の側部に前記第１の方向と反対の前記第２の方向に回動可能に結合される第２の前端と、前記ドア板に移動可能に結合される第２の後端と、を有することを特徴とする双方向開閉ドア。
【請求項６】
前記第１の横柱は、第１のスライド溝をさらに有し、前記第１のスライドアームの第１の後端は、前記第１のスライド溝にスライド可能に結合され、
前記ドア板は、上側に第２のスライド溝をさらに有し、前記第２のスライドアームの第２の後端は、前記第２のスライド溝にスライド可能に結合され、
前記本体は、軸を有し、前記軸は、上端及び下端を有し、前記上端は、前記本体の一方の側部から突出し、前記下端は、前記本体の他方の側部から突出し、
前記第１の前端は、第１のストッパブロック及び第１のカムを有し、前記第１のカムは、第１の軸孔をさら有し、前記第１の軸孔は、前記上端に嵌合され、これにより、前記第１のカムは、前記第１のストッパブロックに当接され、前記中枠及び前記ドア板を前記第１の方向へ回動させ、
前記第２の前端は、第２のストッパブロック及び第２のカムを有し、前記第２のカムは、第２の軸孔をさらに有し、前記第２の軸孔は、前記下端に嵌合され、これにより、前記第２のカムは、前記第２のストッパブロックに当接され、前記ドア板を前記第２の方向へ回動させることを特徴とする請求項５に記載の双方向開閉ドア。
【請求項７】
前記ドア板は、前記第２のヒンジによる前記第１の方向への逆回転防止作用を受け、前記中枠に連結されると共に前記中枠を駆動することにより、前記第１の方向に開扉する大ドアを形成することを特徴とする請求項５に記載の双方向開閉ドア。
【請求項８】
前記ドア板は、押圧して前記中枠から離れさせることにより、前記第１の方向と反対の前記第２の方向に開扉する小ドアを形成することを特徴とする請求項５又は７に記載の双方向開閉ドア。
【請求項９】
大枠、中枠、第１のヒンジ、ドア、第２のヒンジ、第１のドアクローザ及び第２のドアクローザを備える双方向開閉ドアであって、
前記大枠の内側には、大枠内縁が形成され、前記大枠は、前記大枠内縁の上側に位置する第１の横柱を有し、
前記中枠の内側には、中枠内縁が形成され、前記中枠は、第２の横柱を有し、
前記第１のヒンジの一方の側部は、前記大枠に接続され、他方の側部は、前記中枠に接続され、前記第１のヒンジは、第１の方向のみに回動するように装着され、これにより、前記大枠内縁に対し、前記中枠を前記第１の方向に往復回動させ、開閉させることができ、
前記第２のヒンジの一方の側部は、前記中枠に接続され、他方の側部は、前記ドア板に接続され、前記第２のヒンジは、第２の方向のみに回動するように装着され、これにより、前記中枠内縁に対し、前記ドア板を前記第２の方向に往復回動させ、開閉させることができ、
前記第１のドアクローザは、前記第２の横柱に結合される本体と、前記大枠に前記第１の方向に回動可能に結合されるスライドアームと、を有し、
前記第２のドアクローザは、前記第２の横柱に結合される本体と、前記ドアに前記第２の方向に回動可能に結合されるスライドアームと、を有することを特徴とする双方向開閉ドア。
【考案の詳細な説明】
【技術分野】
【０００１】
本考案は、双方向開閉ドアに関する。
【背景技術】
【０００２】
現代の建築物の公共空間において、間仕切り（Ｐａｒｔｉｔｉｏｎ）のために使用されるドアは、例えば、出入りに便利なように、常に開扉されているか、或いは、例えば、入退室管理（Ａｃｃｅｓｓ  ｃｏｎｔｒｏｌ）のために、常に閉扉されている。緊急事態が発生し、避難者が避難する際、避難者は、閉扉されたドア板を引くのではなく、直感的にドア板を押し開けて（ｐｕｓｈ，ｉｎｓｔｅａｄ  ｏｆ  ｐｕｌｌ）避難する。このため、双方向に開閉したり、押し開けたりして避難したり（Ｔｗｏ−ｗａｙ  ｅｓｃａｐｅ  ｒｏｕｔｅ）、閉扉して延焼防止を行ったりするドアを提供することは、安全上、必要な任務である。
【０００３】
従来の偏心型（ｓｉｎｇｌｅ−ａｃｔｉｏｎ）のドアセットは、単方向のみに開扉することができる。また、中心型（ｄｏｕｂｌｅ−ａｃｔｉｏｎ）のドア板は、内側及び外側の双方向に開扉することができる。しかし、従来の双方向開閉ドアは、ドア板とドア枠との間の軸の回転角度が限定される。即ち、ドア板を開扉する際、ドア枠によって回転角度が限定されるため、大きな角度（例えば、１８０度）に開扉することができない。
【先行技術文献】
【特許文献】
【０００４】
【特許文献１】特開２００５−１２７５２７号公報
【考案の概要】
【考案が解決しようとする課題】
【０００５】
本考案の目的は、ドア板の中にドア板が含まれる構造により、小ドアが含まれる大ドアが形成され、小ドアの開扉方向と大ドアの開扉方向とが異なるため、ドアセットを任意の双方向に開閉することができ、ドアセットを任意の方向に押し開けて避難したり、閉扉して延焼防止を行ったりすることができる双方向開閉ドアを提供することにある。
【課題を解決するための手段】
【０００６】
上述の課題を解決するために、本考案の双方向開閉ドアは、２つのドア枠（ｄｏｏｒ  ｆｒａｍｅ）と１つのドア板（ｄｏｏｒ  ｌｅａｆ）とが組み合わされる構造により、実質的には、１つのドア枠及び２つのドア板を有する特殊なドアセット構造（Ｄｏｏｒ  ｓｅｔ  ｓｔｒｕｃｔｕｒｅ）が形成される。これにより、ドアセットを双方向に開扉することができる。即ち、本考案の双方向開閉ドアは、２つのドア枠と１つのドア板との間が、異なる方向に開閉するヒンジによって結合されることにより、ドア板の中にドア板が含まれる構造が形成され、小ドアが含まれる大ドアが形成される。これにより、本考案の双方向開閉ドアは、内側（或いは左側）に開扉する小ドアと、外側（或いは右側）に開扉する大ドアと、を有するため、任意の方向にドアセットを押し開けて避難したり、閉扉して延焼防止を行ったりすることができる。
【０００７】
即ち、ドアセットが内側及び外側の双方向に開閉するため、ドアセットを１８０度の双方向に開扉することができる。
【０００８】
本考案の双方向開閉ドアに従来のドアクローザを応用する場合、ドアセットを押し開けると同時に通過する動作を実現することができない。従って、本考案は、中枠に結合される双方向ドアクローザを提供する。本考案の双方向ドアクローザは、開扉方向を選択するメカニズムが統合された２つのスライドアームを有する。各スライドアームは、大枠とドア板とに連結され、異なる方向に回動するメカニズムを有する。これにより、本考案の双方向ドアクローザは、それぞれ独立した双方向閉扉効果を実現する。また、スライドアーム同士が干渉し合うことがない上、緩衝作用による速度調整を自由に行うことができる。
【０００９】
本考案の双方向開閉ドアは、２つの対称のドア板を有するドアセットにも適用される。ドアセットの実施形態は、同一の双方向開閉ドアを対称に設置するのみである。この場合に実現される効果は、上述の実施形態と同一である。
【考案の効果】
【００１０】
本考案の双方向開閉ドアは、従来の双方向開閉ドアのように、ドア板とドア枠との間に隙間が発生し、セキュリティー上の問題が発生したり、ドア板を回動させる際、ドア板とドア枠とが衝突することにより、ドア板を大きな角度に開扉することができなかったりする問題を解決することができる。また、本考案の双方向開閉ドアは、従来の単方向開閉ドアのように、押すか引くか（Ｅｉｔｈｅｒ  ｐｕｓｈ  ｏｒ  ｐｕｌｌ）の二者択一に限定されない。即ち、本考案の双方向開閉ドアは、双方向開閉ドア及び単方向開閉ドアの長所を融合し、双方向開閉ドア及び単方向開閉ドアの短所を排除したものである。
【図面の簡単な説明】
【００１１】
【図１】本考案の第１実施形態による双方向開閉ドアのドア板を開扉した状態を示す斜視図である。
【図２】本考案の第１実施形態による双方向開閉ドアを示す斜視図である。
【図３】本考案の第１実施形態による双方向開閉ドアのドア板が中枠を駆動して開けることによって形成される大ドアを示す斜視図である。
【図４】図３の大ドアを第１の方向に１８０度開扉した状態を示す斜視図である。
【図５】図３の大ドアを第２の方向に閉扉する状態を示す斜視図である。
【図６】図３の大ドアを第２の方向に閉扉する状態を示す斜視図である。
【図７】図３の大ドアを第２の方向に閉扉した状態を示す斜視図である。
【図８】本考案の第１実施形態による双方向開閉ドアのドア板を第２の方向に開扉することによって形成される小ドアを示す斜視図である。
【図９】ドア、双方向ドアクローザ及びドア枠が組み合わされた本考案の双方向開閉ドアの第２実施形態を示し、双方向開閉ドアを第１の方向に開扉した状態を示す斜視図である。
【図１０】ドア、双方向ドアクローザ及びドア枠が組み合わされた本考案の双方向開閉ドアの第２実施形態を示し、双方向開閉ドアを第２の方向に開扉した状態を示す斜視図である。
【図１１】本考案の第２実施形態による双方向開閉ドアを第１の方向に回動する際のドアクローザの状態を示す分解斜視図である。
【図１２】本考案の第２実施形態による双方向開閉ドアを第２の方向に回動する際のドアクローザの状態を示す分解斜視図である。
【図１３】本考案の第３実施形態による双方向開閉ドアが従来のドアクローザによって回動し、双方向開閉する状態を示す斜視図である。
【考案を実施するための形態】
【００１２】
本考案の目的、特徴および効果を示す実施形態を図面に沿って詳細に説明する。
【００１３】
（第１実施形態）
図１〜図８を参照する。図１〜図８に示すように、本考案の第１実施形態による双方向開閉ドアは、大枠２、中枠３、第１のヒンジ４、ドア板５及び第２のヒンジ６を含む。大枠２の内側には、大枠内縁２１が形成される。中枠３の内側には、中枠内縁３１が形成される。中枠３の外側には、中枠外縁３３が形成される。中枠外縁３３は、大枠内縁２１より小さい。第１のヒンジ４の一方の側部は、大枠２に接続され、他方の側部は、中枠３に接続される。第１のヒンジ４は、第１の方向Ｓ１のみに回動するように装着される。これにより、大枠内縁２１に対し、中枠３を第１の方向Ｓ１に往復回動させ、開閉させることができる。ドア板５は、ドア板外縁５１を有する。ドア板外縁５１は、中枠内縁３１より小さい。第２のヒンジ６の一方の側部は、中枠３に接続され、他方の側部は、ドア板外枠５１に接続される。第２のヒンジ６は、第２の方向Ｓ２のみに回動するように装着され、第１の方向Ｓ１への逆回転防止機能を形成する。これにより、中枠内縁３１に対し、ドア板５を第２の方向Ｓ２に往復回動させ、開閉させることができる。
【００１４】
図３を参照する。図３に示すように、ドア板５には、第２のヒンジ６により、第１の方向Ｓ１への逆回転防止機能が形成される。また、ドア板５は、中枠３に連結されると共に中枠３を駆動することにより、第１の方向Ｓ１に開扉することができる大ドアＡを形成する。
【００１５】
図８を参照する。図８に示すように、ドア板５は、押圧して中枠３から離すことができる。これにより、ドア板５は、第１の方向Ｓ１と反対の第２の方向Ｓ２に開扉することができる小ドアＢを形成する。
【００１６】
上述の大ドアＡを第１の方向Ｓ１に開扉するか、或いは、小ドアＢを第２の方向Ｓ２に開扉することにより、本考案の双方向開閉ドアは、外側又は内側（或いは、左側又は右側）の双方向に開扉する機能を有することができる。
【００１７】
図１及び図３を同時に参照する。本考案の第１実施形態において、中枠３は、ストッパ板３０をさらに含む。ストッパ板３０は、中枠内縁３１の一部に結合され、中枠内縁３１を被覆する。本実施形態中、ストッパ板３０は、中枠内縁３１の上側に位置し、ドア板５のストッパ板３０に対応する一部がストッパ板３０に当接されることにより、ドア板５が第１の方向Ｓ１に中枠３を駆動して開ける際の安定性を高めることができる。
【００１８】
従来のドアセットと比較し、本考案の双方向開閉ドアは、異なる方向に開閉するヒンジを装着することにより、大枠２と中枠３とドア板５とが結合される。即ち、２つのドア枠（ｄｏｏｒ  ｆｒａｍｅ）と１つのドア板（ｄｏｏｒ  ｌｅａｆ）とが組み合わされて構成されるドア板の中にドア板を含む構造により、実質的には、１つのドア枠及び２つのドア板を有する特殊なドアセット構造（Ｄｏｏｒ  ｓｅｔ  ｓｔｒｕｃｔｕｒｅ）が形成され、小ドアＢが含まれる大ドアＡが形成される。即ち、中枠３及びドア板５により、大枠２を基軸として第１の方向Ｓ１に開扉する大ドアＡが構成される。また、ドア板５により、中枠３を基軸として第１の方向Ｓ１と反対の第２の方向Ｓ２に開扉する小ドアＢが構成される。これにより、任意の方向にドアセットを開扉することができる上、大きな角度でドアセットを開扉することができるため、任意の方向にドアセットを押し開けて避難したり、閉扉して延焼防止を行ったりすることができる。
【００１９】
本考案は、従来の中心型（ｄｏｕｂｌｅ−ａｃｔｉｏｎ）の双方向開閉ドアのように、ドアを開閉する際、ドア板の軸の回転角度が限定されることがなく、ドア板を１８０度の双方向に開閉することができる。本考案は、建築物に応用され、玄関ドア、室内ドア、１８０度開閉する通路ドア、防火ドアなどに応用することができる。また、双方向に開閉するため、ドアセットを押し開けると共に通過できる（偏心型の単方向開閉ドアでは、実現できない機能）。これにより、従来技術にはない融通性及び利便性を実現することができる。即ち、左に開くドア板（Ｌ．Ｈ．）と右に開くドア板（Ｒ．Ｈ．）とを融合したドアセットである。
【００２０】
本考案の第１実施形態において、第１のヒンジ４又は第２のヒンジ６は、速度調節機能を有するヒンジである。速度調節機能を有するヒンジは、内部に緩衝装置を含む。緩衝装置は、歯車減速装置、油圧減速装置、ばね減速装置、気圧減速装置、摩擦減速装置又はそれらの組み合わせを含む。
【００２１】
速度調節機能を有するヒンジにより、ドアセットの開閉を行う際、速度が調節されると共に、ドアクローザとしての機能を有する。本考案の双方向開閉ドアの大ドア又は小ドアは、開扉した後、自動的に閉扉する。また、ドアセットが閉扉する際、ドアセットの速度を緩和し、騒音を低減することができ、ドアセットの回動速度が速すぎてユーザに衝撃を与えるのを防止し、ユーザの安全性を確保することができる。
【００２２】
（第２実施形態）
図９及び図１０を参照する。図９及び図１０に示すように、本考案の第２実施形態において、双方向開閉ドアは、大枠２、中枠３、第１のヒンジ４、ドア板５、第２のヒンジ６及び双方向ドアクローザ７を含む。大枠２の内側には、大枠内縁２１が形成される。大枠２は、大枠内縁２１上側に位置する第１の横柱２５を含む。中枠３の内側には、中枠内縁３１が形成される。中枠３の外側には、中枠外縁３３が形成される。中枠３は、中枠内縁３１上側に位置する第２の横柱３５を含む。中枠外縁３３は、大枠内縁２１より小さい。第１のヒンジ４の一方の側部は、大枠２に接続され、他方の側部は、中枠外縁３３に接続される。第１のヒンジ４は、第１の方向Ｓ１のみに回動するように装着される。これにより、大枠内縁２１に対し、中枠３を第１の方向Ｓ１に往復回動させ、開閉させることができる。ドア板５は、ドア板外縁５１を有する。ドア板外縁５１は、中枠内縁３１より小さい。第２のヒンジ６の一方の側部は、中枠３に接続され、他方の側部は、ドア板外縁５１の対応する側部に接続される。第２のヒンジ６は、第２の方向Ｓ２のみに回動するように装着される。これにより、中枠内縁３１に対し、ドア板５を第２の方向Ｓ２に往復回動させ、開閉させることができる。これにより、ドア板の中にドア板を含む構造が形成される。双方向ドアクローザ７は、第２の横柱３５に結合される本体７１を含む。本実施形態中、本体７１は、第２の横柱３５内部に結合される。双方向ドアクローザ７は、第１の方向に回動可能に本体７１の一方の側部に結合される第１のスライドアーム７３と、第１の方向と反対の第２の方向に回動可能に本体７１の他方の側部に結合される第２のスライドアーム７５と、を含む。
【００２３】
第１のスライドアーム７３は、第１の方向に回動可能に本体７１の一方の側部に結合される第１の前端７３１と、第１の横柱２５に結合される第１の後端７３３と、をさらに含む。第２のスライドアーム７５は、第１の方向と反対の第２の方向に回動可能に本体７１の他方の側部に結合される第２の前端７５１と、ドア板５の上側に結合される第２の後端７５２と、をさらに含む。
【００２４】
第１の横柱２５は、第１のスライド溝２５１をさらに含む。第１のスライドアーム７３の第１の後端７３３は、スライド可能に第１のスライド溝２５１に結合される。ドア板５は、上側に第２のスライド溝５３をさらに含む。第２のスライドアーム７５の第２の後端７５２は、第２のスライド溝５３にスライド可能に結合される。
【００２５】
中枠３及びドア板５により、大枠２を基軸として第１の方向Ｓ１に開扉する大ドアＡが構成される。また、中枠３を基軸とし、中枠３に接続されたストッパ板３０からドア板５を離すことにより、第１の方向Ｓ１と反対の第２の方向Ｓ２に開扉する小ドアＢが構成される。
【００２６】
本実施形態においては、ドアクローザが前述の実施形態と異なる。ドアクローザは、速度調節機能を有する。第１のスライドアーム７３は、第１の後端７３３が第１の横柱２５に移動可能に結合される。これにより、中枠３及びドア板５を第１の方向Ｓ１に開閉する際、緩衝作用により、開閉速度を調整することができる。第２のスライドアーム７５は、第２の後端７５２がドア板５上側に移動可能に結合される。これにより、ドア板５を第２の方向Ｓ２に開閉する際、緩衝作用により、開閉速度を調整することができる。
【００２７】
図１１及び図１２を同時に参照する。本実施形態中、双方向ドアクローザ７の本体７１は、軸７７を含む。軸７７は、上端７７１及び下端７７３を含む。上端７７１は本体７１の一方の側部から突出し、下端７７３は、本体７１の他方の側部から突出する。
【００２８】
第１の前端７３１は、第１のストッパブロック７３２及び第１のカム７３５を含む。第１のカム７３５は、第１の軸孔７３７をさらに含む。第１の軸孔７３７は、上端７７１に嵌合される。これにより、第１のカム７３５は、第１のストッパブロック７３２に当接され、中枠３及びドア板５を第１の方向Ｓ１に回動させる。
【００２９】
第２の前端７５１は、第２のストッパブロック７５３及び第２のカム７５５を含む。第２のカム７５５は、第２の軸孔７５７をさらに含む。第２の軸孔７５７は、下端７７３に嵌合される。これにより、第２のカム７５５は、第２のストッパブロック７５３に当接され、ドア板５を第２の方向Ｓ２に回動させる。
【００３０】
図１１を参照する。図１１に示すように、ドア板５を中枠内縁３１内のストッパ板３０に当接し、中枠３を押圧する上、第１のカム７３５を第１のストッパブロック７３２に当接し、中枠３及びドア板５を第１の方向Ｓ１に回動することにより、第１の方向Ｓ１に開扉する大ドアが形成される。
【００３１】
図１２を参照する。図１２に示すように、ドア板５を押圧し、中枠内縁３１内のストッパ板３０の位置からドア板５を離す上、第２のカム７５５を第２のストッパブロック７５３に当接し、ドア板５を第２の方向Ｓ２に回動することにより、第１の方向Ｓ１と反対の第２の方向Ｓ２に開扉する小ドアが形成される。
【００３２】
（第３実施形態）
図１３を参照する。図１３に示すように、第３実施形態中、双方向ドアクローザ７は、従来の第１のドアクローザ８及び第２のドアクローザ９に置換してもよい。
【００３３】
双方向開閉ドアは、大枠２、中枠３、第１のヒンジ４、ドア板５及び第２のヒンジ６を含む。大枠２の内側には、大枠内縁２１が形成される。大枠２は、大枠内縁２１上側に位置する第１の横柱２５を含む。中枠３の内側には、中枠内縁３１が形成される。中枠３の外側には、中枠外縁３３が形成される。中枠３は、第２の横柱３５を含む。中枠外縁３３は、大枠内縁２１より小さい。第１のヒンジ４の一方の側部は、大枠２に接続され、他方の側部は、中枠外縁３３に接続される。第１のヒンジ４は、第１の方向Ｓ１のみに回動するように装着される。これにより、大枠内縁２１に対し、中枠３を第１の方向Ｓ１に往復回動させ、開閉させることができる。ドア板５は、ドア板外縁５１を有する。ドア板外縁５１は、中枠内縁３１より小さい。第２のヒンジ６の一方の側部は、中枠３に接続され、他方の側部は、ドア板外縁５１の対応する側部に接続される。第２のヒンジ６は、第２の方向Ｓ２のみに回動するように装着される。これにより、中枠内縁３１に対し、ドア板５を第２の方向Ｓ２に往復回動させ、開閉させることができる。これにより、ドア板の中にドア板を含む構造が形成される。
【００３４】
第１のドアクローザ８は、第２の横柱３５に結合される本体８１と、第１の方向Ｓ１に回動可能に大枠２に結合されるスライドアーム８３と、を含む。
【００３５】
第２のドアクローザ９は、第２の横柱３５に結合される本体９１と、第２の方向Ｓ２に回動可能にドア板５に結合されるスライドアーム９３と、を含む。本実施形態中、本体９１は、第２の横柱３５の内部に結合される。第１の横柱２５は、第１のスライド溝２５１を含む。第１のスライドアーム７３の第１の後端７３３は、第１のスライド溝２５１にスライド可能に結合される。ドア板５は、上側に第２のスライド溝３５１をさらに含む。第２のスライドアーム７５の第２の後端７５２は、第２のスライド溝３５１にスライド可能に結合される。２つの従来のドアクローザにより、前述の実施形態と同様の双方向開閉機能を実現することができる。
【００３６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３７】
２  大枠
２１  大枠内縁
２５  第１の横柱
２５１  第１のスライド溝
３  中枠
３０  ストッパ板
３１  中枠内縁
３３  中枠外縁
３５  第２の横柱
４  第１のヒンジ
５  ドア板
５１  ドア板外縁
５３  第２のスライド溝
６  第２のヒンジ
７  双方向ドアクローザ
７１  本体
７３  第１のスライドアーム
７３１  第１の前端
７３２  第１のストッパブロック
７３３  第１の後端
７３５  第１のカム
７３７  第１の軸孔
７５  第２のスライドアーム
７５１  第２の前端
７５２  第２の後端
７５３  第２のストッパブロック
７５５  第２のカム
７５７  第２の軸孔
７７  軸
７７１  上端
７７３  下端
８  第１のドアクローザ
８１  本体
８３  スライドアーム
９  第２のドアクローザ
９１  本体
９３  スライドアーム
Ａ  大ドア
Ｂ  小ドア
Ｓ１  第１の方向
Ｓ２  第２の方向
【図１】
0003181810.tif 000003
【図２】
0003181810.tif 000004
【図３】
0003181810.tif 000005
【図４】
0003181810.tif 000006
【図５】
0003181810.tif 000007
【図６】
0003181810.tif 000008
【図７】
0003181810.tif 000009
【図８】
0003181810.tif 000010
【図９】
0003181810.tif 000011
【図１０】
0003181810.tif 000012
【図１１】
0003181810.tif 000013
【図１２】
0003181810.tif 000014
【図１３】
0003181810.tif 000015